(57)【要約】      （修正有）【課題】羽根の回転に要する空間を小さくして筐体の厚さを薄くすることが可能な、差圧調整装置を提供する。【解決手段】第１空間３と第２空間２Ａとを連通せしめる開口Ｓを開閉することで、第１空間３と第２空間２Ａの間の差圧を調整する、差圧調整装置１０であって、開口Ｓを閉じるように設けられた第１回転羽根２１と第２回転羽根２２を備え、第１回転羽根２１は、開口Ｓを形成する枠１６、１７の一端に設けられた第１回転軸Ｃ１回りに回転可能に、開口Ｓを閉じるように付勢され、差圧が付勢力Ｆ１より大きい場合に枠１６、１７から離間して開口Ｓを開放するように設けられ、第２回転羽根２２は、第１回転羽根２１の第１回転軸Ｃ１とは反対側に設けられた第２回転軸Ｃ２回りに、第１回転羽根２１に対して回転可能に設けられ、第２回転羽根２２の回転角度を一定に制限し、一定以上の回転を抑制する、回転角度制限部材２５を有する、差圧調整装置１０。【選択図】図４
2020190336.tif 000002
【特許請求の範囲】
【請求項１】
第１空間と、前記第１空間に隣接する第２空間との間に設けられ、前記第１空間と前記第２空間とを連通せしめる開口を開閉することで、前記第１空間と前記第２空間の間の差圧を調整する、差圧調整装置であって、
前記開口を閉じるように設けられた第１回転羽根と第２回転羽根を備え、
前記第１回転羽根は、前記開口を形成する枠の一端に設けられた第１回転軸回りに回転可能に、前記開口を閉じるように付勢され、前記差圧が付勢力より大きい場合に前記枠から離間して前記開口を開放するように設けられ、
前記第２回転羽根は、前記第１回転羽根の前記第１回転軸とは反対側に設けられた第２回転軸回りに、前記第１回転羽根に対して回転可能に設けられ、前記第２回転軸において、前記枠に向けて回転して、前記第１回転羽根に接近する方向に付勢されている、差圧調整装置。
【請求項２】
前記第１回転軸及び前記第２回転軸は、鉛直方向に延びるように設けられている、請求項１に記載の差圧調整装置。
【請求項３】
前記第１回転羽根が前記枠から離間して前記開口を開放した際に、前記第２回転羽根に当たり接して前記第２回転羽根の回転角度を一定に制限するように設けられた、回転角度制限部材を備えている、請求項１または２に記載の差圧調整装置。
【請求項４】
前記枠は、前記第１空間と前記第２空間を区画する鉛直面内に設けられ、
前記第２回転羽根の上端は、前記第１回転羽根の上端よりも上の高さに位置し、
前記回転角度制限部材は、前記第１回転羽根の上端の上方の、前記第２回転羽根の上端よりも下の高さ位置に、前記枠から前記第１回転羽根が開く方向に突出して設けられた突出部である、請求項３に記載の差圧調整装置。
【発明の詳細な説明】
【技術分野】
【０００１】
本発明は、差圧調整装置に関する。
【背景技術】
【０００２】
各種の建物には、火災時に煙が発生した場合に備え、これを外部へ排出するための排煙機が設けられている。排煙機は、例えばファン等を備えており、これにより居室内の煙を吸引する。建築技術の向上により、近年の建築物は気密性が高い構造となっているものが多く、このような気密性の高い居室の空気を吸引することで、吸引対象となる居室は、隣接する他室に比べると圧力が低い、負圧の状態となる。
ここで、当該居室から隣接居室へ移動するに際し通過する扉が、当該居室から隣接居室へ向けて押して開くような構造となっている場合には、火災時に排煙機が作動し当該居室内が負圧となり隣接室よりも圧力が低くなると、その差圧は、扉を隣接室側から当該居室側へと押し付けるように作用する。その結果、この差圧が過大になると、扉を開くのに大きな力が必要となり、扉が開きにくくなる。
そこで、居室間の差圧が過大とならないようするため、居室間の壁に差圧調整装置を設置し、隣接居室から当該居室へと空気の一部を逃がすことが行われている。
【０００３】
例えば特許文献１には、加圧防煙用の差圧ダンパーが開示されている。この差圧ダンパーは、火災時に陽圧状態に加圧される加圧領域を非加圧領域から区画する階段扉の開口部に設けられるものであって、羽根が支持軸の回りに回転可能に設けられ、当該羽根が非回転位置にある状態では開口部を閉鎖し、加圧領域と非加圧領域との相互の差圧によって当該羽根が回転した状態では開口部の少なくとも一部を開放する。羽根を非回転位置に向けて回転させるモーメントが当該羽根に対して常時加えられると共に、当該羽根の回転角が大きくなるにつれてモーメントが小さくなるように、形成されている。
支持軸は、水平に設けられている。
羽根には、羽根のバランスを調整するためのウェイトが固定されており、このウェイトの重さや羽根の重心からの距離を基に、羽根に働くモーメントが求められ、羽根の構造が決定される。
【０００４】
特許文献１に記載されたような差圧ダンパーにおいては、羽根の回転に要する空間が大きくなり、例えば羽根が回転した際に人体等へ接触することで、羽根の破損や指挟み等の負傷の可能性がある。これを防ぐために、羽根の回転に要する空間全域を筐体内に収めようとすると、室間を隔てる扉や壁に設けた場合には筐体が扉や壁から突出し、通行等の障害となる。
【先行技術文献】
【特許文献】
【０００５】
【特許文献１】特開２００９−８３５８号公報
【発明の概要】
【発明が解決しようとする課題】
【０００６】
本発明が解決しようとする課題は、羽根の回転に要する空間を小さくして筐体の厚さを薄くすることが可能な、差圧調整装置を提供することである。
【課題を解決するための手段】
【０００７】
本発明は、上記課題を解決するため、以下の手段を採用する。すなわち、本発明は、第１空間と、前記第１空間に隣接する第２空間との間に設けられ、前記第１空間と前記第２空間とを連通せしめる開口を開閉することで、前記第１空間と前記第２空間の間の差圧を調整する、差圧調整装置であって、前記開口を閉じるように設けられた第１回転羽根と第２回転羽根を備え、前記第１回転羽根は、前記開口を形成する枠の一端に設けられた第１回転軸回りに回転可能に、前記開口を閉じるように付勢され、前記差圧が付勢力より大きい場合に前記枠から離間して前記開口を開放するように設けられ、前記第２回転羽根は、前記第１回転羽根の前記第１回転軸とは反対側に設けられた第２回転軸回りに、前記第１回転羽根に対して回転可能に設けられ、前記第２回転軸において、前記枠に向けて回転して、前記第１回転羽根に接近する方向に付勢されている、差圧調整装置を提供する。
上記のような差圧調整装置は、第１空間と第２空間の差圧が所定の値以下であれば、第１回転羽根の、第１空間と第２空間とを連通せしめる開口を閉じようとする付勢力が差圧に勝り、結果として第１回転羽根は、開口を閉じる位置のまま動かない。ここで、第１回転羽根の第１回転軸とは反対側に設けられた第２回転軸回りに回転可能な第２回転羽根は、第２回転軸において、開口を形成する枠に向けて回転して、第１回転羽根に接近する方向に付勢されている。したがって、第２回転羽根は、枠側から、第１回転羽根に接近する方向に回転しようとする。しかし、第１回転羽根は開口を閉じる位置にあり、第２回転軸は枠近傍に位置しているため、第２回転羽根が枠に当たり接することによりこの回転は阻まれ、第２回転羽根は、第１回転羽根とともに、開口を閉じる位置のまま動かない。このように、第１空間と第２空間の差圧が所定の値以下の場合においては、第１回転羽根と第２回転羽根は、共に開口を閉じた状態となる。
第１空間と第２空間の差圧が所定の値以上となると、差圧が付勢力より大きくなり、第１回転羽根は第１回転軸において回転し、第１回転羽根の第１回転軸とは反対側に設けられた第２回転軸は、枠から離間する。ここで、第２回転羽根は、これが回転する中心となる第２回転軸が枠から離間して第２回転羽根が回転可能となるため、第２回転羽根に設けられた付勢力により、枠に向けて回転して第１回転羽根に接近する方向へと移動する。このようにして開口が開放されて、第１空間と第２空間の差圧が調整される。
このように、上記のような構成によれば、第１回転羽根と第２回転羽根は、差圧が所定の値以上となった場合には、互いに折り畳まれるように回転することで開口が開放されるため、開口を開放した際の第１回転羽根と第２回転羽根の収まりがコンパクトである。また、回転羽根が第１回転羽根と第２回転羽根の２つに分割されているため、回転羽根が１つの部材として構成された場合よりも、各々の回転半径が小さくなっている。以上の効果が相乗し、第１回転羽根と第２回転羽根の回転に要する空間を小さくできるため、筐体を小さくし、厚さを薄くすることが可能である。
【０００８】
本発明の一態様においては、前記第１回転軸及び前記第２回転軸は、鉛直方向に延びるように設けられている。
上記のような構成によれば、第１回転軸及び第２回転軸は水平面に対して垂直な鉛直方向に延びるように設けられているため、羽根の重力は鉛直方向に働く。よって、第１回転羽根や第２回転羽根の開閉制御には、これら回転羽根に働く重力は基本的に影響しない。すなわち、開閉制御は、第１回転羽根と第２回転羽根に対して設けられた付勢力によってのみ行われるため、第１回転羽根や第２回転羽根に働く重力を考慮したウェイトによる調整等が不要となる。これにより、簡潔な構成で差圧調整装置が実現可能となるとともに、開閉制御の微妙な調整も容易となる。また、ウェイトの移動に要する空間を考慮する必要がなくなるため、更に筐体の厚さを薄くすることが可能である。
【０００９】
本発明の別の態様においては、前記第１回転羽根が前記枠から離間して前記開口を開放した際に、前記第２回転羽根に当たり接して前記第２回転羽根の回転角度を一定に制限するように設けられた、回転角度制限部材を備えている。
既に説明したように、差圧が付勢力より大きくなり第１回転羽根が枠から離間すると、第２回転羽根は、第２回転羽根に設けられた付勢力により、第１回転羽根に接近する方向へと回転する。ここで、差圧が付勢力より小さくなると、第１回転羽根は、付勢力により開口を閉じる位置へと戻る。しかし、特に対策を取らないと、第２回転羽根はこの第１回転羽根と重なった状態のまま、第１回転羽根とともに、第１回転軸回りに回転してしまう。結果として、第１回転羽根が開口を閉じる位置への移動が完了した際に、第２回転羽根は第１回転羽根と重なった位置にあり、開口の、第２回転羽根が本来閉じるべき部分は、開放された状態のままとなる。
ここで、上記のような構成においては、第２回転羽根の回転角度を一定に制限して、一定以上の回転を抑制する回転角度制限部材を備えているため、差圧が付勢力より大きくなり第１回転羽根が枠から離間した際に、第２回転羽根の回転は、第２回転羽根が第１回転羽根と重なる状態となる前に停止する。すなわち、第２回転羽根の、第２回転軸とは反対側の先端部は、第１回転羽根から一定以上離間した状態となる。
この状態において、差圧が調整され、第１回転羽根が付勢力により開口を閉じる位置へと戻る際には、第１回転羽根の第２回転軸側は、第２回転羽根を、第２回転羽根の先端部が枠へと向かう方向へと押し出す。このとき、第２回転羽根の先端部は、枠に当たり接した後に枠に対して、第１回転羽根から離れる方向に摺動する。結果として、第１回転羽根が開口を閉じる位置への移動が完了した際に、第２回転羽根も、開口を閉じる位置へと移動している。
したがって、開口を閉じる際の、第２回転羽根の復帰動作を正常に行うことができる。
【００１０】
本発明の別の態様においては、前記枠は、前記第１空間と前記第２空間を区画する鉛直面内に設けられ、前記第２回転羽根の上端は、前記第１回転羽根の上端よりも上の高さに位置し、前記回転角度制限部材は、前記第１回転羽根の上端の上方の、前記第２回転羽根の上端よりも下の高さ位置に、前記枠から前記第１回転羽根が開く方向に突出して設けられた突出部である。
上記のような構成によれば、突出部は、第１回転羽根の上端よりも上方に設けられているため、第１回転羽根の回転移動を阻害しない。
他方、第２回転羽根の上端は、第１回転羽根の上端の上方に位置する突出部２５よりも更に上の高さに位置している。このため、第１回転羽根の移動に伴い、第２回転羽根が付勢力により第１回転羽根に接近するように回転移動しようとしても、第２回転羽根の上端近傍の表面が、第１回転羽根が開く方向に突出する突出部の先端に当たり接する。これにより、第２回転羽根の回転移動は、第２回転羽根が第１回転羽根と重なる状態となる前に停止する。結果として、開口が最も開いた状態において、第１回転羽根と第２回転羽根の間には一定以上の大きさの角度が設けられ、第２回転羽根の、第２回転軸とは反対側の先端部は、第１回転羽根から一定以上離間した状態となる。
このように、突出部は、第１回転羽根が枠から離間して開口を開放した際に、第２回転羽根に当たり接して第２回転羽根の回転角度を一定に制限し、一定以上の回転を抑制する、回転角度制限部材として機能する。これにより、第１空間と第２空間の差圧に応じた第１回転羽根と第２回転羽根の開閉制御が実現可能となる。
【発明の効果】
【００１１】
本発明によれば、羽根の回転に要する空間を小さくして筐体の厚さを薄くすることが可能な、差圧調整装置を提供することができる。
【図面の簡単な説明】
【００１２】
【図１】本発明の実施形態における差圧調整装置を備えた建物の平面図である。
【図２】上記差圧調整装置の正面図である。
【図３】上記差圧調整装置の側面図である。
【図４】上記差圧調整装置の、上側部分の横断面図である。
【図５】上記差圧調整装置の、上側部分の拡大した正面図である。
【図６】上記差圧調整装置の開閉する動作を示す説明図である。
【図７】上記差圧調整装置の、第１回転羽根と第２回転羽根が開いた状態の横断面図である。
【発明を実施するための形態】
【００１３】
以下、本発明の実施形態について図面を参照して詳細に説明する。
本実施形態に係る差圧調整装置を備えた建物の平面図を図１に示す。
図１に示されるように、建物１は、複数の居室２と、これら居室２が面した廊下３を備えている。各居室２と廊下３との間には、扉５が設けられている。扉５は、一方の側端部５ａが、図示されないヒンジを介して、それぞれ鉛直軸周りに回動自在に支持されている。扉５は、居室２側から廊下３に押し開くように設けられている。
複数の居室２の中の一室２Ａには、火災の際に居室２Ａ内の煙を吸引して外部へ排出する、排煙機４が設けられている。この居室２Ａにおいては、排煙機４が作動すると、隣接する廊下３や他の居室２に比べると圧力が低い、負圧の状態となる。
既に説明したように、扉５は、居室２Ａから廊下３に向けて押し開くように設けられているため、火災時に排煙機４が作動し居室２Ａが負圧となると、廊下３との差圧は、扉５を廊下３側から居室２Ａ側へと押し付けるように作用する。結果として、扉５を開くのに大きな力が必要となり、扉５が開きにくくなる。
そこで、居室２Ａと廊下３との差圧が過大とならないようにするため、居室２Ａと廊下３との間の壁６には、差圧調整装置１０が埋め込まれて設けられている。
【００１４】
差圧調整装置１０は、居室２Ａと廊下３との差圧を調整するダンパーである。図２は、差圧調整装置１０の正面図である。図３は、差圧調整装置１０の側面図である。図４は、図２のＡ−Ａ部分の断面図であり、図５は差圧調整装置１０の上側部分の拡大した正面図である。
差圧調整装置１０は、筐体１１と、回転羽根２０を備えている。
【００１５】
筐体１１は、正面から視た際に略矩形状に形成されている。筐体１１は、上板１２、下板１３、一対の側板１４、枠板（枠）１６、仕切板（枠）１７、及び網２６を備えている。
上板１２、下板１３、及び一対の側板１４の各々は、略矩形状に形成された板材である。上板１２と下板１３は、それぞれ筐体１１の上側と下側に、略水平に位置するように設けられている。一対の側板１４の各々は、上板１２と下板１３の、図２における奥行き方向に延びる端辺の各々に接続されて、上板１２と下板１３を連結するように設けられている。
このように、上板１２、下板１３、及び一対の側板１４により、図２における奥行き方向が形成され、図３にＣＤとして示される方向に連通する筒状の枠体となる。枠板１６は、この枠体の連通方向ＣＤにおける一方の側に、上板１２、下板１３、及び一対の側板１４の各々に垂直に接合されて設けられている。枠板１６の中央は矩形状に切り抜かれて、開口Ｓが形成されている。
仕切板１７は、幅が細い長尺の部材であり、鉛直方向、すなわち水平面に対して垂直な方向に、枠板１６の開口Ｓを上下方向に跨るように設けられている。これにより、開口Ｓは２つに分割されて、２つの開口Ｓが形成されている。
２つの開口Ｓのうち、右側の開口Ｓは、枠板１６に形成された上側の端辺である上側開口縁部１６ａ、下側の端辺である下側開口縁部１６ｂ、筐体１１の外側の、側板１４近傍において、上側開口縁部１６ａと下側開口縁部１６ｂを上下方向に連結する外側開口縁部１６ｃ、及び筐体１１の内側において上側開口縁部１６ａと下側開口縁部１６ｂを上下方向に連結する、仕切板１７の側辺である内側開口縁部１７ｄにより形成されている。左側の開口Ｓも同様に、上側開口縁部１６ａ、下側開口縁部１６ｂ、外側開口縁部１６ｃ、及び内側開口縁部１７ｄにより形成されている。
上板１２、下板１３、及び一対の側板１４の、枠体の連通方向ＣＤにおける両側には、網２６が張られて設けられている。ここで、網２６は、例えば差圧の調整時の空気の流動に支障がないように、多くの貫通孔が例えば網状に設けられた板材等であってよい。
【００１６】
筐体１１は、図３、図４に示されるように壁６の開口６ｓに嵌められて、上板１２、下板１３、及び一対の側板１４の外側の表面が壁６に密接して接合されるように、壁６に埋め込まれて設けられている。このように、差圧調整装置１０は、廊下（第１空間）３と、廊下３に隣接する居室（第２空間）２Ａとの間に設けられている。筐体１１は、連通方向ＣＤが壁６と直交し、かつ枠板１６と仕切板１７が廊下３と居室２Ａを区画する鉛直平面内にあるように設けられている。居室２Ａの扉５を閉めた際には、枠板１６に形成された２つの開口Ｓと、筐体１１内の空間、及び網２６により空気の流路が確保される。なお、差圧調整装置１０は、排煙機４が作動した際に負圧となる側とは反対側に回転羽根２０が面する側となるように設置する。
【００１７】
回転羽根２０は、２つの開口Ｓの各々に対応して、右側回転羽根２０Ａと左側回転羽根２０Ｂを備えている。以下では右側回転羽根２０Ａの構造を説明するが、右側回転羽根２０Ａと左側回転羽根２０Ｂは、仕切板１７を中心線として左右に略対称な構造となっているため、以下の説明において左右を逆に置き換えれば、左側回転羽根２０Ｂの説明とすることができる。
【００１８】
右側回転羽根２０Ａは、第１回転羽根２１と第２回転羽根２２を備えている。
第１回転羽根２１は、矩形状に形成された板材である。第１回転羽根２１は、長さ方向が鉛直方向に略一致するように、上板１２、下板１３、側板１４、枠板１６、及び網２６に囲われた筐体１１内の空間に設けられている。より詳細には、第１回転羽根２１の、幅方向に延びる、上側の端辺である上側端辺（上端）２１ａは、上側開口縁部１６ａよりも上方に位置するように設けられている。第１回転羽根２１の下側の端辺である下側端辺２１ｂは、下側開口縁部１６ｂよりも下方に位置するように設けられている。第１回転羽根２１の、長さ方向に延びる、外側に位置する端辺である外側端辺２１ｃは、外側開口縁部１６ｃよりも外方に位置するように設けられている。第１回転羽根２１の内側に位置する端辺である内側端辺２１ｄは、開口Ｓを上下に跨るような位置に設けられている。
このように、第１回転羽根２１は、開口Ｓの外側の部分を塞ぐように、枠板１６の筐体内部側表面１６ｌに密着して設けられている。
【００１９】
特に図４に示されるように、第１回転羽根２１は、外側端辺２１ｃが枠板１６の筐体内部側表面１６ｌに、第１ヒンジ２３によって接合されることにより、内側端辺２１ｄが開口Ｓを形成する枠板１６から離接して開口Ｓを開閉可能となるように、筐体１１に取り付けられている。第１ヒンジ２３は、例えば２つの板体２３ａが第１回転軸Ｃ１を中心として互いに回転可能に設けられた蝶番である。これにより、第１回転羽根２１は、第１回転軸Ｃ１回りに、枠板１６に対して回転可能に設けられている。
第１回転軸Ｃ１が、開口Ｓを形成する枠の一端に、より詳細には枠板１６の外側開口縁部１６ｃよりも外側に位置に位置して、鉛直方向に延びるように、第１ヒンジ２３は設けられている。
第１ヒンジ２３には、図示されないバネ等により、２つの板体２３ａが互いに接近して閉じる方向に、第１付勢力（付勢力）Ｆ１が付勢されている。第１ヒンジ２３は、第１回転羽根２１が開口Ｓを閉じた状態において２つの板体２３ａが接近して閉じた状態となるように設けられている。これにより、第１回転羽根２１は、開口Ｓを閉じるように付勢されている。
【００２０】
第１回転羽根２１が開口Ｓを閉じた状態において、第１回転羽根２１の上側端辺２１ａの上方の、枠板１６の筐体内部側表面１６ｌには、筐体内部側表面１６ｌから居室２Ａ側に、すなわち第１回転羽根２１が開口Ｓを開く方向に向けて、筐体１１内の空間に突出するように突出部２５が設けられている。突出部２５は、開口Ｓを形成する外側開口縁部１６ｃの直上に設けられており、第１回転羽根２１の上側端辺２１ａの略中央近傍に設けられている。
【００２１】
第２回転羽根２２は、矩形状に形成された板材である。第２回転羽根２２は、長さ方向が鉛直方向に略一致するように、上板１２、下板１３、側板１４、枠板１６、及び網２６に囲われた筐体１１内の空間に設けられている。より詳細には、第２回転羽根２２の、幅方向に延びる、上側の端辺である上側端辺（上端）２２ａは、上側開口縁部１６ａよりも上方に位置するように設けられている。本実施形態においては、上側端辺２２ａは、第１回転羽根２１の上側端辺２１ａと、及び枠板１６に設けられた突出部２５よりも更に上の高さに位置するように設けられている。第２回転羽根２２の下側の端辺である下側端辺２２ｂは、下側開口縁部１６ｂよりも下方に位置するように設けられている。第２回転羽根２２の、長さ方向に延びる、外側に位置する端辺である外側端辺２２ｃは、第１回転羽根２１の内側端辺２１ｄと接するように設けられている。第２回転羽根２２の内側に位置する端辺である内側端辺２２ｄは、仕切板１７の内側開口縁部１７ｄよりも内側に位置するように設けられている。
このように、第２回転羽根２２は、開口Ｓの内側の部分を塞ぐように、枠板１６の筐体内部側表面１６ｌと仕切板１７の低圧側表面１７ｌに密着して設けられている。第２回転羽根２２は、第１回転羽根２１の内側で、かつ第１回転羽根２１と略同一平面上に、第１回転羽根２１と併せて開口Ｓの全体を閉じるように設けられている。
【００２２】
特に図４に示されるように、第２回転羽根２２は、外側端辺２２ｃが第１回転羽根２１の第１回転軸Ｃ１が設けられた外側端辺２１ｃとは反対側の内側端辺２１ｄに、第２ヒンジ２４によって接合されることにより、第１回転羽根２１を介して筐体１１に取り付けられている。第２ヒンジ２４は、第１ヒンジ２３と同様に、例えば２つの板体２４ａが第２回転軸Ｃ２を中心として互いに回転可能に設けられた蝶番である。これにより、第２回転羽根２２は、第２回転軸Ｃ２回りに、第１回転羽根２１に対して回転可能に設けられている。
第２ヒンジ２４には、図示されないバネ等により、２つの板体２４ａが互いに接近して閉じる方向に、第１付勢力Ｆ１よりも弱い第２付勢力Ｆ２が付勢されている。第２ヒンジ２４は、第１回転羽根２１と第２回転羽根２２が開いた状態において２つの板体２４ａが開いた状態となるように、かつ２つの板体２４ａを閉じようとする第２付勢力Ｆ２が第２回転羽根２２を枠板１６、仕切板１７側へと向かわせるように位置づけられて設けられている。これにより、第２回転羽根２２は、第１回転羽根２１が開口Ｓを閉じるように位置づけられた際には、第１回転羽根２１とともに開口Ｓを閉じるように付勢されている。
第２ヒンジ２４は、第２回転軸Ｃ２が鉛直方向に延びるように設けられている。
【００２３】
次に、図１〜図５、及び図６、図７を用いて、上記の差圧調整装置１０の作用を説明する。図６は、差圧調整装置１０の開閉する動作を示す説明図である。図７は、差圧調整装置１０の、開口Ｓが開いた状態の、図４に相当する断面図である。
まず、廊下３と居室２Ａの差圧がほぼ無い、通常の状態においては、第１回転羽根２１の、開口Ｓを閉じようとする第１付勢力Ｆ１が差圧に勝り、結果として第１回転羽根２１は、開口Ｓを閉じる位置のまま動かない。
ここで、第２回転羽根２２は、第２回転軸Ｃ２において、第２付勢力Ｆ２により、枠板１６、仕切板１７側から、第１回転羽根２１に接近する方向に回転しようとする。しかし、第１回転羽根２１は開口Ｓを閉じる位置にあり、第２回転軸Ｃ２は枠板１６近傍に位置しているため、第２回転羽根２２の内側端辺２２ｄが仕切板１７に当たり接することによりこの回転は阻まれ、第２回転羽根２２は、第１回転羽根２１とともに、開口Ｓを閉じる位置のまま動かない。
更に、第２付勢力Ｆ２は第１付勢力Ｆ１より弱くなるように調整されている。したがって、第２付勢力Ｆ２によって第２回転羽根２２の内側端辺２２ｄが仕切板１７を押圧することで、第２回転羽根２２の内側端辺２２ｄとは反対側に位置する第２回転軸Ｃ２を枠板１６から浮き上がらせて、第２回転羽根２２の内側端辺２２ｄを第１回転羽根２１側へと向かわせるよう、第２回転羽根２２を回転させようとしたとしても、これは第２付勢力Ｆ２より強い力として調整された第１付勢力Ｆ１の、第１回転羽根２１を閉じて内側端辺２１ｄに位置する第２回転軸Ｃ２を枠板１６側へと押し付ける力に阻まれる。
このように、廊下３と居室２Ａの差圧が所定の値以下の場合においては、第１回転羽根２１と第２回転羽根２２は、共に開口Ｓを閉じた状態となる。
【００２４】
排煙機４の排煙により居室２Ａの圧力が廊下３よりも低くなり、廊下３と居室２Ａの差圧が所定の値以上となると、差圧が第１付勢力Ｆ１より大きくなり、第１回転羽根２１は第１回転軸Ｃ１において、図６に示される方向Ｄ１へと回転し、第２回転軸Ｃ２は、枠板１６から離間する。ここで、第２回転羽根２２は、第２回転軸Ｃ２が枠板１６から離間して第２回転羽根２２が回転可能となるため、第２付勢力Ｆ２により、枠板１６、仕切板１７に向けて回転して第１回転羽根２１に接近する方向Ｄ２へと移動する。このようにして開口Ｓが開放されて、廊下３と居室２Ａの差圧が調整される。
【００２５】
第１回転羽根２１は、例えば、図６に示される位置Ｐ２、及び図７に示されるように、第１回転羽根２１が最大限まで方向Ｄ１に開ききるまで回転し移動する。ここで、枠板１６の筐体内部側表面１６ｌに設けられた突出部２５は、第１回転羽根２１の上側端辺２１ａよりも上方に設けられているため、第１回転羽根２１の回転移動を阻害しない。
他方、第２回転羽根２２の上側端辺２２ａは、第１回転羽根２１の上側端辺２１ａの上方に位置する突出部２５よりも更に上の高さに位置している。このため、上記のような第１回転羽根２１の移動に伴い、第２回転羽根２２が第２付勢力Ｆ２により第１回転羽根２１に接近するように回転移動しようとしても、第２回転羽根２２の上側端辺２２ａ近傍の表面が、第１回転羽根２１が開く方向に突出する突出部２５の先端２５ｔに当たり接する。これにより、第２回転羽根２２の回転移動は、第２回転羽根２２が第１回転羽根２１と重なる状態となる前に停止する。結果として、開口Ｓが最も開いた状態において、第１回転羽根２１と第２回転羽根２２の間には一定以上の大きさの角度θが設けられ、第２回転羽根２２の、第２回転軸Ｃ２とは反対側の先端部、すなわち内側端辺２２ｄは、第１回転羽根２１から一定以上離間した状態となる。
このように、突出部２５は、第１回転羽根２１が枠板１６から離間して開口Ｓを開放した際に、第２回転羽根２２に当たり接して第２回転羽根２２の回転角度を一定に制限し、一定以上の回転を抑制する、回転角度制限部材として機能する。
【００２６】
回転羽根２０が開くことにより開放された開口Ｓを介して廊下３から居室２Ａへと空気が流入し、廊下３と居室２Ａの間の差圧が調整される。ここで、排煙機４の停止等により、差圧よりも第１付勢力Ｆ１が大きくなった場合、第１付勢力Ｆ１により、第１回転羽根２１が開口Ｓを閉じる位置へと戻ろうとする。この際には、第１回転羽根２１の第２回転軸Ｃ２側である内側端辺２１ｄが第１回転軸Ｃ１を中心として図６に示される方向Ｄ３へと回転することで、第２回転羽根２２の外側端辺２２ｃが枠板１６に向けて移動する。ここで、第２回転羽根２２は突出部２５の先端２５ｔに当たり接しているため、第２回転羽根２２は突出部２５の先端２５ｔを支点としてこの上を摺動し、結果として第２回転羽根２２の内側端辺２２ｄは、突出部２５から離れる方向Ｄ４へと、すなわち第１回転羽根２１に対して開いた状態となる方向Ｄ４へと移動する。
第１回転羽根２１が枠板１６に向けて一定量回転すると、第２回転羽根２２の表面は突出部２５の先端２５ｔから離間し、第２回転羽根２２の内側端辺２２ｄは上側開口縁部１６ａ及び下側開口縁部１６ｂに当たり接する（図６における位置Ｐ１）。このときには、第２回転羽根２２は枠板１６に対して、第１回転軸Ｃ１側に傾くように位置づけられているため、第１付勢力Ｆ１が更に作用すると、第２回転羽根２２の内側端辺２２ｄはこの第１付勢力Ｆ１により仕切板１７の方向へと押し出されるように上側開口縁部１６ａ及び下側開口縁部１６ｂ上を摺動する。結果として、第１回転羽根２１が開口Ｓを閉じる位置への移動が完了した際に、第２回転羽根２２も、開口Ｓを閉じる位置へと移動している。
【００２７】
次に、上記の差圧調整装置１０の効果について説明する。
【００２８】
本実施形態の差圧調整装置１０は、廊下（第１空間）３と、廊下３の隣接室（第２空間）２Ａとの間に設けられ、廊下３と居室２Ａとを連通せしめる開口Ｓを開閉することで、廊下３と居室２Ａの間の差圧を調整する、差圧調整装置１０であって、開口Ｓを閉じるように設けられた第１回転羽根２１と第２回転羽根２２を備え、第１回転羽根２１は、開口Ｓを形成する枠板（枠）１６、仕切板（枠）１７の一端に設けられた第１回転軸Ｃ１回りに回転可能に、開口Ｓを閉じるように付勢され、差圧が第１付勢力（付勢力）Ｆ１より大きい場合に枠板１６から離間して開口Ｓを開放するように設けられ、第２回転羽根２２は、第１回転羽根２１の第１回転軸Ｃ１とは反対側に設けられた第２回転軸Ｃ２回りに、第１回転羽根２１に対して回転可能に設けられ、第２回転軸Ｃ２において、枠板１６、仕切板１７に向けて回転して、第１回転羽根２１に接近する方向に付勢されている。
上記のような差圧調整装置１０は、廊下３と居室２Ａの差圧が所定の値以下であれば、第１回転羽根２１の、廊下３と居室２Ａとを連通せしめる開口Ｓを閉じようとする第１付勢力Ｆ１が差圧に勝り、結果として第１回転羽根２１は、開口Ｓを閉じる位置のまま動かない。ここで、第１回転羽根２１の第１回転軸Ｃ１とは反対側に設けられた第２回転軸Ｃ２回りに回転可能な第２回転羽根２２は、第２回転軸Ｃ２において、開口Ｓを形成する枠板１６、仕切板１７に向けて回転して、第１回転羽根２１に接近する方向に付勢されている。したがって、第２回転羽根２２は、枠板１６、仕切板１７側から、第１回転羽根２１に接近する方向に回転しようとする。しかし、第１回転羽根２１は開口Ｓを閉じる位置にあり、第２回転軸Ｃ２は枠板１６近傍に位置しているため、第２回転羽根２２が枠板１６、仕切板１７に当たり接することによりこの回転は阻まれ、第２回転羽根２２は、第１回転羽根２１とともに、開口Ｓを閉じる位置のまま動かない。このように、廊下３と居室２Ａの差圧が所定の値以下の場合においては、第１回転羽根２１と第２回転羽根２２は、共に開口Ｓを閉じた状態となる。
廊下３と居室２Ａの差圧が所定の値以上となると、差圧が第１付勢力Ｆ１より大きくなり、第１回転羽根２１は第１回転軸Ｃ１において回転し、第１回転羽根２１の第１回転軸Ｃ１とは反対側に設けられた第２回転軸Ｃ２は、枠板１６、仕切板１７から離間する。ここで、第２回転羽根２２は、これが回転する中心となる第２回転軸Ｃ２が枠板１６から離間して第２回転羽根２２が回転可能となるため、第２回転羽根２２に設けられた第２付勢力Ｆ２により、枠板１６、仕切板１７に向けて回転して第１回転羽根２１に接近する方向Ｄ２へと移動する。このようにして開口Ｓが開放されて、廊下３と居室２Ａの差圧が調整される。
このように、上記のような構成によれば、第１回転羽根２１と第２回転羽根２２は、差圧が所定の値以上となった場合には、互いに折り畳まれるように回転することで、開口Ｓが開放されるため、開口Ｓを開放した際の第１回転羽根２１と第２回転羽根２２の収まりがコンパクトである。また、回転羽根２０が第１回転羽根２１と第２回転羽根２２の２つに分割されているため、回転羽根２０が１つの部材として構成された場合よりも、各々の回転半径が小さくなっている。以上の効果が相乗し、第１回転羽根２１と第２回転羽根２２の回転に要する空間を小さくできるため、筐体１１を小さくし、特に連通方向ＣＤの厚さを薄くすることが可能である。
【００２９】
筐体１１の厚さを薄くすることにより、回転羽根２０が回転した際の人体等への接触と、これに伴う羽根の破損や指挟み等の負傷を抑制することができる。
また、室間を隔てる扉や壁に差圧調整装置１０を埋め込むように設けた場合の、扉や壁からの筐体１１の突出を低減し、あるいは無くすことができるため、通行等の障害となる可能性を低減することができる。
【００３０】
例えば回転羽根２０を第１回転羽根２１と第２回転羽根２２に分割せず一枚一体の構成とし、これを枠板１６に、上記第１回転羽根２１と同じ要領で、第１付勢力Ｆ１を有する第１ヒンジ２３によって取り付けることで、機能的には上記のような差圧調整装置１０と略同等の装置を実現可能ではある。しかし、回転羽根を一枚一体の構成とする場合においては、筐体１１の厚さを２枚に分割した場合と同等にしようとすると、回転羽根が折り畳まれないために十分に開口が開きらないうちに回転羽根の先端が枠板１６とは反対側の網２６に当たり接する。すなわち、筐体１１を大きくしない限り、開口Ｓの開口面積が小さくなる。
火災時に排煙機４が作動した際に、差圧調整装置が隣接する室間の差圧を迅速に調整し、扉５の開閉障害を解消することは、在館者の避難安全の確保の点において非常に重要である。上記のような本実施形態の差圧調整装置１０は、このような、筐体１１の厚さを薄くし、かつ開口Ｓの開口面積の拡大を、容易に両立することが可能である。
【００３１】
また、第１回転軸Ｃ１及び第２回転軸Ｃ２は、鉛直方向に延びるように設けられている。
上記のような構成によれば、第１回転軸Ｃ１及び第２回転軸Ｃ２は水平面に対して垂直な鉛直方向に延びるように設けられているため、羽根の重力は鉛直方向に働く。よって、第１回転羽根２１や第２回転羽根２２の開閉制御には、これら回転羽根２１、２２に働く重力は基本的に影響しない。すなわち、開閉制御は、第１回転羽根２１と第２回転羽根２２に対して設けられた付勢力Ｆ１、Ｆ２によってのみ行われるため、第１回転羽根２１や第２回転羽根２２に働く重力を考慮したウェイトによる調整等が不要となる。これにより、簡潔な構成で差圧調整装置１０が実現可能となるとともに、開閉制御の微妙な調整も容易となる。また、ウェイトの移動に要する空間を考慮する必要がなくなるため、更に筐体１１の厚さを薄くすることが可能である。
【００３２】
特に、上記実施形態においては、回転羽根２０すなわち第１回転羽根２１及び第２回転羽根２２を、第１付勢力Ｆ１及び第２付勢力Ｆ２が設けられた第１ヒンジ２３及び第２ヒンジ２４のみにより動作せしめており、上記のようにウェイト等に依存しない構成となっているため、故障が少なく、また、故障が生じた際においてもその原因を容易に発見することが可能である。
【００３３】
また、第１回転羽根２１が枠板１６から離間して開口Ｓを開放した際に、第２回転羽根２２に当たり接して第２回転羽根２２の回転角度を一定に制限するように設けられた、突出部（回転角度制限部材）２５を備えている。
既に説明したように、差圧が第１付勢力Ｆ１より大きくなり第１回転羽根２１が枠板１６から離間すると、第２回転羽根２２は、第２回転羽根２２に設けられた第２付勢力Ｆ２により、第１回転羽根２１に接近する方向Ｄ２へと回転する。ここで、突出部２５が設けられていない場合には、第２回転羽根２２が第１回転羽根２１と平行で重なる状態となるほど回転する。そして、排煙機４が停止した場合等に差圧が第１付勢力Ｆ１より小さくなると、第１回転羽根２１が第１付勢力Ｆ１により開口Ｓを閉じる位置へと戻る。この際に、第２回転羽根２２はこの第１回転羽根２１と重なった状態のまま、第１回転羽根２１とともに、第１回転軸Ｃ１回りに回転してしまう。結果として、第１回転羽根２１が開口Ｓを閉じる位置への移動が完了した際に、第２回転羽根２２は第１回転羽根２１と重なった位置にあり、開口Ｓの、第２回転羽根２２が本来閉じるべき部分は、開放された状態のままとなる。
ここで、上記のような構成においては、第２回転羽根２２の回転角度を一定に制限して、一定以上の回転を抑制する突出部２５を備えているため、差圧が第１付勢力Ｆ１より大きくなり第１回転羽根２１が枠板１６から離間した際に、第２回転羽根２２の回転は、第２回転羽根２２が第１回転羽根２１と重なる状態となる前に停止する。すなわち、第２回転羽根２２の、第２回転軸Ｃ２とは反対側の先端部２２ｄは、第１回転羽根２１から一定以上離間した状態となる。
この状態において、排煙機４が停止した場合等に、第１回転羽根２１が第１付勢力Ｆ１により開口Ｓを閉じる位置へと戻る際には、第１回転羽根２１の第２回転軸Ｃ２側は、第２回転羽根２２を、第２回転羽根２２の先端部２２ｄが枠板１６、仕切板１７へと向かう方向へと押し出す。このとき、第２回転羽根２２の先端部２２ｄは、開口縁部１６ａ、１６ｂに当たり接した後に開口縁部１６ａ、１６ｂに対して、第１回転羽根２１から離れる方向に摺動する。結果として、第１回転羽根２１が開口Ｓを閉じる位置への移動が完了した際に、第２回転羽根２２も、開口Ｓを閉じる位置へと移動している。
したがって、開口Ｓが閉じる際、第２回転羽根２２は元の閉鎖状態に戻る。
【００３４】
また、枠板１６、仕切板１７は、廊下３と居室２Ａを区画する鉛直面内に設けられ、第２回転羽根２２の上側端辺（上端）２２ａは、第１回転羽根２１の上側端辺（上端）２１ａよりも上の高さに位置し、突出部２５は、第１回転羽根２１の上側端辺２１ａの上方の、第２回転羽根２２の上側端辺２２ａよりも下の高さ位置に、枠板１６から第１回転羽根２１が開く方向に突出して設けられている。
既に説明したように、突出部２５は、第１回転羽根２１が枠板１６から離間して開口Ｓを開放した際に、第２回転羽根２２に当たり接して第２回転羽根２２の回転角度を一定に制限し、一定以上の回転を抑制する、回転角度制限部材２５として機能する。これにより、廊下３と居室２Ａの差圧に応じた第１回転羽根２１と第２回転羽根２２の開閉制御が実現可能となる。
【００３５】
また、回転羽根２０を格納する筐体１１を備え、かつ回転羽根２０を囲うように枠板１６が設けられ、さらに筐体１１の空気が連通する方向ＣＤにおける両側は、網２６で覆われている。
上記のような構成によれば、筐体１１の連通方向ＣＤにおける両側には網２６が設けられ、回転羽根２０の回転に要する空間は網２６により覆われている。したがって、回転羽根２０に対する指の挟みこみや、いたずらによる回転羽根２０の開閉障害等を抑制可能である。
【００３６】
なお、本発明の差圧調整装置１０は、図面を参照して説明した上述の実施形態に限定されるものではなく、その技術的範囲において他の様々な変形例が考えられる。
【００３７】
例えば、上記実施形態においては、差圧調整装置１０は壁６に設けられていたが、これに限られず、扉５に設けられてもよい。
また、上記実施形態においては、差圧調整装置１０は廊下３と居室２Ａの間の壁６に設けられていたが、差圧調整装置１０は、排煙機４等により差圧が生じる可能性がある室間であれば、どのような場所に設けてもよい。例えば、差圧調整装置１０は、外気に通じる室であれば、その室間を区画する壁に設けられてもよい。
あるいは、差圧調整装置１０は、特別避難階段や非常用エレベータと、廊下等の室間に設けられた付室に設けてもよい。例えば給気ファン等により空気を送り込んで、付室の圧力を廊下等の隣接する室の圧力よりも高くすることで、火災室から廊下に漏れ出た煙が付室に侵入することを防ぐ加圧防排煙設備が付室に設置されることがある。よって、このように付室と隣接する室との間にも大きな差圧が生じる可能性があり、付室と隣接する室との間に設置された扉の開閉障害防止として、差圧調整装置１０を設置することは有効である。
【００３８】
また、上記実施形態においては、左側回転羽根２０Ｂは、仕切板１７を中心線として右側回転羽根２０Ａと左右方向に略対称で、右側回転羽根２０Ａとは左右反対側に開く構造となっていたが、これに限られない。例えば、左側回転羽根２０Ｂも、右側回転羽根２０Ａと同じ方向に開くように、右側回転羽根２０Ａと全く同じ構造を有していてもかまわない。
あるいは、上記実施形態においては、回転羽根２０が２つ設けられていたが、回転羽根２０の数は１つでも良いし、３以上でも構わない。回転羽根２０の大きさや数は、想定される差圧の大きさ等に基づいて決定され得る。
【００３９】
これ以外にも、本発明の主旨を逸脱しない限り、上記実施形態で挙げた構成を取捨選択したり、他の構成に適宜変更したりすることが可能である。
【符号の説明】
【００４０】
２、２Ａ  居室（第２空間）      ２１ａ  上側端辺（第１回転羽根の上端）
３  廊下（第１空間）            ２２  第２回転羽根
４  排煙機                      ２２ａ  上側端辺（第２回転羽根の上端）
５  扉                          ２３  第１ヒンジ
６  壁                          ２４  第２ヒンジ
１０  差圧調整装置              ２５  突出部（回転角度制限部材）
１１  筐体                      ２６  網
１６  枠板（枠）                Ｃ１  第１回転軸
１７  仕切板（枠）              Ｃ２  第２回転軸
２０  回転羽根                  Ｆ１  第１付勢力（付勢力）
２０Ａ  右側回転羽根            Ｆ２  第２付勢力
２０Ｂ  左側回転羽根            Ｓ  開口
２１  第１回転羽根
【図１】
2020190336.tif 000003
【図２】
2020190336.tif 000004
【図３】
2020190336.tif 000005
【図４】
2020190336.tif 000006
【図５】
2020190336.tif 000007
【図６】
2020190336.tif 000008
【図７】
2020190336.tif 000009